(57)【要約】【課題】   音楽・映画等の大容量の情報を一度に配信する能力がない配信局と受信局との間で、大容量の情報の配信を実現する。【解決手段】  情報配信局１１は大容量の情報をブロックに分割し（Ｓ１１）、分割されたブロック毎にその順序を示すアドレスを付与し（Ｓ１２）、情報受信局１２からの配信要求（Ｓ１３）に応じて、要求された情報のブロックを順次配信する（Ｓ１４）。配信要求信号１３は、個別認識情報、大容量情報の種別（音楽など）や名称（作曲者・曲名など）やコンテンツ記号からなるコンテンツ識別情報、アドレス情報、処理能力情報（データ圧縮方式など）から少なくとも構成される。【選択図】図１
2010044772.tif 000002
【特許請求の範囲】
【請求項１】
情報配信局が情報を複数のブロックに分割し、
前記分割したブロック毎にアドレスを付与しアドレス付きブロックを生成し、
記憶手段を有する情報受信局が前記情報配信局に前記情報の配信要求信号または前記アドレス付ブロックを正常受信して次のアドレスのブロックを要求する信号のいずれかを送信し、
前記情報配信局が受信した前記配信要求信号の内容にしたがって前記アドレス付きブロックを前記情報受信局に対し順次配信し、
前記情報受信局は前記アドレス付ブロックを受信して、アドレス付ブロックからブロックを再生し、記憶手段に順次書込み、前記記憶手段内に前記情報を再現し、前記情報受信局は前記情報を再生する
ことを特徴とする情報送受信方法。
【請求項２】
前記情報を配信開始すべき前記アドレス付きブロックが、前記情報受信局が正常に受信を完了した前記アドレス付きブロックの次であることを特徴とする請求項１記載の情報送受信方法。
【請求項３】
前記情報受信局が移動体通信端末であり、前記情報配信局は移動体通信用基地局であることを特徴とする請求項１又は２に記載の情報送受信方法。
【請求項４】
前記アドレス付きブロックの情報量が、前記移動局が前記路側基地局のサービスエリアを通過するのに要する時間内で前記路側基地局より前記移動局へ一度に配信できる情報量以下であることを特徴とする請求項１乃至３のいずれかに記載の情報送受信方法。
【請求項５】
前記移動局が前記路側基地局のサービスエリアに進入したとき、前記移動局から前記路側基地局への配信要求を行うことを特徴とする請求項１乃至３のいずれかに記載の情報送受信方法。
【請求項６】
前記路側基地局がサービスエリア内進入検知用信号を発信するステップと、前記移動局が前記サービスエリア内進入検知用信号を正常受信するステップと、前記進入検知用信号を正常に受信した旨の検知用信号正常受信信号を前記移動局から前記路側基地局に向けて送信するステップとにより、前記移動局が前記サービスエリア内に進入したとの判断をすることを特徴とする請求項５に記載の情報送受信方法。
【請求項７】
前記情報配信局が前記情報受信局から次ブロック要求信号を受信することにより、前記情報受信局への前記ブロック配信に対する課金を行うことを特徴とする請求項６記載の情報送受信方法。
【請求項８】
情報配信局が情報を複数のブロックに分割する分割手段と、
前記分割したブロック毎にアドレスを付与しアドレス付きブロックを生成するアドレス付ブロック生成手段と、
情報受信局が前記情報配信局に前記情報の配信要求信号を送信する送信手段と、
前記情報配信局が受信した前記配信要求信号の内容にしたがって前記アドレス付きブロックを前記情報受信局に対し順次配信する配信手段と
を有する情報送受信システムにおいて、
前記配信要求信号が、
前記情報受信局を識別する個別認識情報と、
配信を要求する前記情報の種別および名称ならびにあらかじめ前記情報に付与されたコンテンツ記号の少なくとも一つを有するコンテンツ識別情報と、
前記情報を配信開始するブロックのアドレスを示すアドレス情報と、
前記情報受信局が情報を再生処理する能力に関する処理能力情報とで構成され、
前記情報受信局が、
前記アドレス付ブロックを受信する受信手段と、
アドレス付ブロックからブロックを再生するブロック再生手段と、
前記ブロックを情報を記録する記憶手段に順次書込んで１つの情報を作成する書込み手段と、
前記情報受信局は前記１つの情報を再生する再生手段
とよりなることを特徴とする情報送受信システム。
【請求項９】
情報配信局が情報を複数のブロックに分割する分割手段と、
前記分割したブロック毎にアドレスを付与しアドレス付きブロックを生成するアドレス付ブロック生成手段と、
情報受信局が前記情報配信局に前記情報の配信要求信号を送信する送信手段と、
前記情報配信局が受信した前記配信要求信号の内容にしたがって前記アドレス付きブロックを前記情報受信局に対し順次配信する配信手段と
を有する情報送受信システムにおいて、
前記配信要求信号が、
前記情報受信局を識別する個別認識情報と、
配信を要求する前記情報の種別および名称ならびにあらかじめ前記情報に付与されたコンテンツ記号の少なくとも一つを有するコンテンツ識別情報と、
前記情報を配信開始するブロックのアドレスを示すアドレス情報と、
前記情報受信局が情報を再生処理する能力に関する処理能力情報とで構成され、
前記情報受信局が、
前記アドレス付ブロックを受信する受信手段と、
アドレス付ブロックからブロックを再生するブロック再生手段と、
前記ブロックを情報を記録する記憶手段に順次書込んで１つの情報を作成する書込み手段と、
前記情報受信局は前記１つの情報を再生する再生手段
とよりなることを特徴とする情報送受信システム。
【請求項１０】
情報配信局が情報を複数のブロックに分割する分割手段と、
前記分割したブロック毎にアドレスを付与しアドレス付きブロックを生成するアドレス付ブロック生成手段と、
情報受信局が前記情報配信局に前記情報の配信要求信号を送信する送信手段と、
前記情報配信局が受信した前記配信要求信号の内容にしたがって前記アドレス付きブロックを前記情報受信局に対し順次配信する配信手段と
を有する情報送受信システムにおいて、
前記配信要求信号が、
前記情報受信局を識別する個別認識情報と、
配信を要求する前記情報の種別および名称ならびにあらかじめ前記情報に付与されたコンテンツ記号の少なくとも一つを有するコンテンツ識別情報と、
前記情報を配信開始するブロックのアドレスを示すアドレス情報と、
前記情報受信局が情報を再生処理する能力に関する処理能力情報とで構成され、
前記情報受信局が、
前記アドレス付ブロックを受信する受信手段と、
アドレス付ブロックからブロックを再生するブロック再生手段と、
前記ブロックを情報を記録する記憶手段に順次書込んで１つの情報を作成する書込み手段と、
前記情報受信局は前記１つの情報を再生する再生手段
とよりなることを特徴とする情報送受信システム。
【請求項１１】
情報配信局が情報を複数のブロックに分割する分割手段と、
前記分割したブロック毎にアドレスを付与しアドレス付きブロックを生成するアドレス付ブロック生成手段と、
情報受信局が前記情報配信局に前記情報の配信要求信号を送信する送信手段と、
前記情報配信局が受信した前記配信要求信号の内容にしたがって前記アドレス付きブロックを前記情報受信局に対し順次配信する配信手段と
を有する情報送受信システムにおいて、
前記配信要求信号が、
前記情報受信局を識別する個別認識情報と、
配信を要求する前記情報の種別および名称ならびにあらかじめ前記情報に付与されたコンテンツ記号の少なくとも一つを有するコンテンツ識別情報と、
前記情報を配信開始するブロックのアドレスを示すアドレス情報と、
前記情報受信局が情報を再生処理する能力に関する処理能力情報とで構成され、
前記情報受信局が、
前記アドレス付ブロックを受信する受信手段と、
アドレス付ブロックからブロックを再生するブロック再生手段と、
前記ブロックを情報を記録する記憶手段に順次書込んで１つの情報を作成する書込み手段と、
前記情報受信局は前記１つの情報を再生する再生手段
とよりなることを特徴とする情報受信装置。
【請求項１２】
情報配信局が情報を複数のブロックに分割する分割手段と、
前記分割したブロック毎にアドレスを付与しアドレス付きブロックを生成するアドレス付ブロック生成手段と、
情報受信局が前記情報配信局に前記情報の配信要求信号を送信する送信手段と、
前記情報配信局が受信した前記配信要求信号の内容にしたがって前記アドレス付きブロックを前記情報受信局に対し順次配信する配信手段と
を有し、
前記配信要求信号が、
前記情報受信局を識別する個別認識情報と、
配信を要求する前記情報の種別および名称ならびにあらかじめ前記情報に付与されたコンテンツ記号の少なくとも一つを有するコンテンツ識別情報と、
前記情報を配信開始するブロックのアドレスを示すアドレス情報と、
前記情報受信局が情報を再生処理する能力に関する処理能力情報と、
で構成されていることを特徴とする情報送信装置。
【発明の詳細な説明】
【技術分野】
【０００１】
本発明は、音楽、動画等の大容量情報を全曲あるいは全巻を、一括してではなくブロックに分割して、配信可能（あるいは配信の受信可能）なときに順次高速に配信し、配信を受ける側（受信側）では、配信中でも既に受信済の部分については再生を可能とする情報送受信方法に関する。
【背景技術】
【０００２】
従来、この種の情報送受信方法は、例えば、画像,音声、テキストの３つの種別の情報がそれぞれ用意されていて、車両から伝送された情報に基づき通信可能時間に応じて情報量を調整して伝送する路車間の情報送受信方法が提案されている（例：特開平１０−２４７２９８号公報）。
【先行技術文献】
【特許文献】
【０００３】
【特許文献１】特開平１０−２４７２９８号公報
【発明の概要】
【発明が解決しようとする課題】
【０００４】
しかし、このような従来の情報送受信方法では、例えば路車間通信で路側基地局から移動中の車両に音楽情報を配信しようとした場合、その基地局のサービスエリア内で全曲の配信が終了しない場合がある。さらに動画情報では、車両が停止していない限り単一サービスエリア内での全巻の受信は不可能であった。本発明はこのような問題を解決するためになされたもので、情報配信局が情報受信局に一度に配信できる容量を越える情報送受信方法を提供するものである。
【課題を解決するための手段】
【０００５】
本発明の情報送受信方法は、情報配信局が情報を複数のブロックに分割し、前記分割したブロック毎にアドレスを付与しアドレス付きブロックを生成し、記憶手段を有する情報受信局が前記情報配信局に情報の配信要求信号または前記アドレス付ブロックを正常受信して次のアドレスのブロックを要求する信号のいずれかを送信し、情報配信局が受信した配信要求信号の内容にしたがってアドレス付きブロックを情報受信局に対し順次配信し、前記情報受信局は前記アドレス付ブロックを受信して、アドレス付ブロックからブロックを再生し、記憶手段に順次書込み、前記記憶手段内に前記情報を再現し、前記情報受信局は前記情報を再生することを特徴とする。この構成により、情報受信局は情報を順次情報配信局から受信することができる。
【０００６】
また、本発明の情報送受信方法は、情報の配信開始すべきブロックのアドレスは、情報受信局が情報を正常に受信完了したブロックの、次のブロックのアドレスである構成を有している。この構成により、分割されたブロックを効率よく受信することができる。
【０００７】
また、本発明の情報送受信方法は、情報受信局が移動体通信端末であり、情報配信局は移動体通信用基地局である構成を有している。この構成により、移動体通信端末に移動体通信用基地局から情報を配信することができる。
【０００８】
また、本発明の情報送受信方法は、分割された１つのブロックの情報量は、移動局が路側基地局のサービスエリアを通過するに要する時間内に路側基地局から移動局へ一度に配信できる情報量以下である構成を有している。この構成により、移動局は１つの路側基地局のサービスエリアを通過する間に１つ以上のブロックを受信することができる。
【０００９】
また、本発明の情報送受信方法は、移動局が路側基地局のサービスエリアに進入したと判断したとき、移動局から路側基地局への配信要求を行う構成を有している。この構成により、移動局は適切なタイミングで路側基地局に配信要求を行うことができる。
【００１０】
また、本発明の情報送受信方法は、移動局がサービスエリア内に進入したとの判断が、路側基地局がサービスエリア内進入検知用信号を発信するステップと、移動局がサービスエリア内進入検知用信号を正常受信するステップと、進入検知用信号を正常に受信した旨の検知用信号正常受信信号を移動局から路側基地局に向けて送信するステップとから少なくとも処理が構成されている。この構成により、適切なタイミングで移動局がサービスエリアに侵入したことを認識することができる。
【００１１】
また、本発明の情報送受信方法は、情報配信局が情報受信局から次ブロック要求信号を受信することにより、情報受信局へのブロック配信に対する課金を行う構成を有している。この構成により、適切なタイミングで課金するシステムを構築できる。
【００１２】
また、本発明の情報送受信システムは、情報配信局が情報を複数のブロックに分割する分割手段と、前記分割したブロック毎にアドレスを付与しアドレス付きブロックを生成するアドレス付ブロック生成手段と、情報受信局が前記情報配信局に前記情報の配信要求信号を送信する送信手段と、前記情報配信局が受信した前記配信要求信号の内容にしたがって前記アドレス付きブロックを前記情報受信局に対し順次配信する配信手段とを有する情報送受信システムにおいて、前記配信要求信号が、前記情報受信局を識別する個別認識情報と、配信を要求する前記情報の種別および名称ならびにあらかじめ前記情報に付与されたコンテンツ記号の少なくとも一つを有するコンテンツ識別情報と、前記情報を配信開始するブロックのアドレスを示すアドレス情報と、前記情報受信局が情報を再生処理する能力に関する処理能力情報とで構成され、前記情報受信局が、前記アドレス付ブロックを受信する受信手段と、アドレス付ブロックからブロックを再生するブロック再生手段と、前記ブロックを情報を記録する記憶手段に順次書込んで１つの情報を作成する書込み手段と、前記情報受信局は前記１つの情報を再生する再生手段とよりなるものである。
【００１３】
また、本発明の情報送受信システムは、情報配信局が情報を複数のブロックに分割する分割手段と、前記分割したブロック毎にアドレスを付与しアドレス付きブロックを生成するアドレス付ブロック生成手段と、情報受信局が前記情報配信局に前記情報の配信要求信号を送信する送信手段と、前記情報配信局が受信した前記配信要求信号の内容にしたがって前記アドレス付きブロックを前記情報受信局に対し順次配信する配信手段とを有する情報送受信システムにおいて、前記配信要求信号が、前記情報受信局を識別する個別認識情報と、配信を要求する前記情報の種別および名称ならびにあらかじめ前記情報に付与されたコンテンツ記号の少なくとも一つを有するコンテンツ識別情報と、前記情報を配信開始するブロックのアドレスを示すアドレス情報と、前記情報受信局が情報を再生処理する能力に関する処理能力情報とで構成され、前記情報受信局が、前記アドレス付ブロックを受信する受信手段と、アドレス付ブロックからブロックを再生するブロック再生手段と、前記ブロックを情報を記録する記憶手段に順次書込んで１つの情報を作成する書込み手段と、前記情報受信局は前記１つの情報を再生する再生手段とよりなるものである。
【００１４】
また、本発明の情報送受信システムは、情報配信局が情報を複数のブロックに分割する分割手段と、前記分割したブロック毎にアドレスを付与しアドレス付きブロックを生成するアドレス付ブロック生成手段と、情報受信局が前記情報配信局に前記情報の配信要求信号を送信する送信手段と、前記情報配信局が受信した前記配信要求信号の内容にしたがって前記アドレス付きブロックを前記情報受信局に対し順次配信する配信手段と
を有する情報送受信システムにおいて、前記配信要求信号が、前記情報受信局を識別する個別認識情報と、配信を要求する前記情報の種別および名称ならびにあらかじめ前記情報に付与されたコンテンツ記号の少なくとも一つを有するコンテンツ識別情報と、前記情報を配信開始するブロックのアドレスを示すアドレス情報と、前記情報受信局が情報を再生処理する能力に関する処理能力情報とで構成され、前記情報受信局が、前記アドレス付ブロックを受信する受信手段と、アドレス付ブロックからブロックを再生するブロック再生手段と、前記ブロックを情報を記録する記憶手段に順次書込んで１つの情報を作成する書込み手段と、前記情報受信局は前記１つの情報を再生する再生手段とよりなるものである。
【００１５】
また、本発明の情報送受信装置は、情報配信局が情報を複数のブロックに分割する分割手段と、前記分割したブロック毎にアドレスを付与しアドレス付きブロックを生成するアドレス付ブロック生成手段と、情報受信局が前記情報配信局に前記情報の配信要求信号を送信する送信手段と、前記情報配信局が受信した前記配信要求信号の内容にしたがって前記アドレス付きブロックを前記情報受信局に対し順次配信する配信手段とを有する情報送受信システムにおいて、前記配信要求信号が、前記情報受信局を識別する個別認識情報と、配信を要求する前記情報の種別および名称ならびにあらかじめ前記情報に付与されたコンテンツ記号の少なくとも一つを有するコンテンツ識別情報と、前記情報を配信開始するブロックのアドレスを示すアドレス情報と、前記情報受信局が情報を再生処理する能力に関する処理能力情報とで構成され、前記情報受信局が、前記アドレス付ブロックを受信する受信手段と、アドレス付ブロックからブロックを再生するブロック再生手段と、前記ブロックを情報を記録する記憶手段に順次書込んで１つの情報を作成する書込み手段と、前記情報受信局は前記１つの情報を再生する再生手段とよりなるものである。
【００１６】
また、本発明の情報送受信装置は、情報配信局が情報を複数のブロックに分割する分割手段と、前記分割したブロック毎にアドレスを付与しアドレス付きブロックを生成するアドレス付ブロック生成手段と、情報受信局が前記情報配信局に前記情報の配信要求信号を送信する送信手段と、前記情報配信局が受信した前記配信要求信号の内容にしたがって前記アドレス付きブロックを前記情報受信局に対し順次配信する配信手段とを有し、前記配信要求信号が、前記情報受信局を識別する個別認識情報と、配信を要求する前記情報の種別および名称ならびにあらかじめ前記情報に付与されたコンテンツ記号の少なくとも一つを有するコンテンツ識別情報と、前記情報を配信開始するブロックのアドレスを示すアドレス情報と、前記情報受信局が情報を再生処理する能力に関する処理能力情報とで構成されていることを特徴とするものである。
【発明の効果】
【００１７】
以上説明したように本発明は、情報をアドレスを付与した複数のブロックに分割し、情報受信局の要求するアドレスに従って配信することにより、音楽や動画等の大容量の情報を情報受信局は受信し再生するというすぐれた効果を有する情報送受信方法を提供することができる。
【図面の簡単な説明】
【００１８】
【図１】本発明の第１の実施の形態における情報配信局から情報受信局への配信開始までの動作流れを示す図
【図２】本発明の第１の実施の形態における情報配信局および情報受信局における動作流れを示す図
【図３】本発明の第１の実施の形態の情報配信局における信号の流れを示す図
【図４】本発明の第１の実施の形態の情報受信局におけるデータ加工図
【図５】本発明の第２の実施の形態における路側基地局と移動局の構成を示す図
【図６】本発明の第２の実施の形態における移動体通信用基地局と移動体通信端末の構成を示す図
【図７】本発明の第２の実施の形態の路側基地局における流れを示す図
【図８】本発明の第２の実施の形態における第１路側基地局と第２路側基地局と移動局の信号の流れを示す図
【図９】本発明の第２の実施の形態における第１路側基地局と移動局との間の状態遷移図
【図１０】本発明の第２の実施の形態における第２路側基地局と移動局との間の状態遷移図
【発明を実施するための形態】
【００１９】
（第１の実施の形態）
以下、本発明の第１の実施の形態について、図面を用いて説明する。図１は本発明の第１の実施の形態における情報配信局から情報受信局への配信開始までの動作流れ図である。図２ HYPERLINK "http://www6.ipdl.inpit.go.jp/Tokujitu/tjitemdrw.ipdl?N0000=234&N0500=1E#N/;%3e;=:6=:9///&N0001=47&N0552=9&N0553=000004" \t "tjitemdrw" は本発明の第１の実施の形態における情報配信局および情報受信局における動作流れ図である。図３は本発明の第１の実施の形態の情報配信局における信号の流れを示す図である。図４は本発明の第１の実施の形態の情報受信局におけるデータ加工図である。
【００２０】
図１において、音楽や映画等の大容量の情報を配信する情報配信局１１は、これらの大容量の情報を別途定めた長さの複数のブロックに分割し（ステップ、以下Ｓと記す、１１）し、分割した各ブロックにブロックを識別するためのアドレスを付与しアドレス付きブロックを生成する（Ｓ１２）。情報受信局１２は、正常受信完了済みのブロックの次のブロックのアドレスの様に、これから配信を受けたい大容量情報に関する配信要求信号１３を情報配信局１１に向けて送信する（Ｓ１３）。
【００２１】
配信要求信号１３は、個別識別情報として自らを他の情報受信局と区分するための情報受信局番号（たとえばNo.XYZ）を、コンテンツ識別情報として大容量情報の種別（たとえば音楽）や大容量情報の名称（たとえばABが作曲した、交響曲第K番）やカラオケの曲番号やCDの番号の様にあらかじめ大容量情報に付与されたコンテンツ記号（たとえばPQR１２３４S）を、アドレス情報としては、次に配信開始を求めるブロックのアドレス（たとえばn）を、処理能力情報としては、情報受信局１２が有する大容量情報に関する処理機能や能力（たとえばデータ圧縮方式：Mで配信されたデータを伸張する機能）を含んでいる。情報配信局１１は、情報受信局１２より受け取った配信要求信号の内容にしたがって、適合する大容量情報のアドレス付きブロックを順次、情報受信局１２に向けて配信する（S１４）。
【００２２】
次に図２において、情報配信局２１０は情報受信局２２０より配信要求を受けた大容量情報の指定されたブロックを抽出し（Ｓ２０４）、情報受信局２２０に対して配信する（Ｓ２０５）。情報受信局２２０は情報配信局２１０より順次配信されるブロック化情報を受信し記録処理する（Ｓ２２０）。ブロック化情報を受信し記録処理するステップ（Ｓ２２０）は、情報配信局２１０からアドレス付きブロックを受信するステップ（Ｓ２２１）と受信したアドレス付きブロックからブロックを抽出して読み出し用のポートと書き込み用のポートとを両方有する半導体メモリで構成する大容量記憶装置２３０に書き込むステップ（Ｓ２２３）より構成される。ここで大容量記憶装置２３０へ書き込む（Ｓ２２３）速度は、配信されるブロック化情報を取りこぼすことのない様処理するのに十分なだけ情報配信局２１０が配信（Ｓ２０５）する速度よりも早くする。
【００２３】
情報受信局２２０は大容量記憶装置２３０に書き込まれたブロック化情報を読み出し処理し再生する（Ｓ２４０）。大容量情報再生ステップ（Ｓ２４０）は、大容量記憶装置２３０から先に書き込まれたブロックを読み出しポートより逐次読み出すステップ（Ｓ２４１）と、データ伸張処理やデータフォーマットの変換といった再生する為に必要な再生処理を逐次読み出したブロックに施すステップ（Ｓ２４２）と、再生処理されたブロックを再生出力するステップ（Ｓ２４３）より構成される。
【００２４】
ここで大容量記憶装置２３０の読み出しポートからの読み出し処理（Ｓ２４１）は書き込みポートへの書き込み処理（Ｓ２２３）の途中であっても、書き込み完了まで待たずに、同時並行して実行可能な構成とし、読み出し処理（Ｓ２４１）の速度は、逐次大容量記憶装置２３０に記録されるブロック化情報がオーバーフローすることのない様処理するのに十分なだけ情報配信局２１０が配信（Ｓ２０５）する速度よりも早くする。また、大容量情報再生ステップ（Ｓ２４０）の処理速度に対し、ブロック化して転送した大容量情報が連続して再生するのに十分なだけ情報配信局２１０からの配信（Ｓ２０５）の速度を早くする。さらに、ブロック化情報受信ステップ（Ｓ２２０）と、大容量情報再生ステップ（Ｓ２４０）は各々同時並行して独立に可能な構成となっている。
【００２５】
次に図３において、（ａ）はたとえば音楽といった連続した大容量情報３００であり、（ｂ）は大容量情報３００をブロックに分割し、圧縮加工をして各ブロックの先頭にブロックアドレス、後尾にブロック終了信号を付与したものである。大容量情報３００を別途定めた長さの第ｎブロック部３０１、第ｎ＋１ブロック部３０２、第ｎ＋２ブロック部３０３、第ｎ＋３ブロック部３０４に区切る。次に第nブロック部３０１を切り出しデータ圧縮して第nブロック分割圧縮情報（音楽）３２１とし、前に第nブロックアドレス３１１を、後ろに第nブロック終了信号３３１を付加し、アドレス付き第nブロック３５１を構成する。
【００２６】
第ｎ＋1ブロック部３０２についても同様の方法でアドレス付き第n＋1ブロック３５２を構成する。第n＋2ブロック部３０３および第n＋3ブロック部３０４についても同様に処理を行なう。このように処理された配信のためのブロック化した大容量情報を順次、情報受信局の配信要求信号に従って、情報受信局が受信した大容量情報を、受信後に再生を行なう速度よりも高速で配信する。
【００２７】
次に図４において、（ａ）は情報受信局において配信を受けたブロック化情報を順次情報受信局が有する大容量記憶装置に書き込んだ情報列、（ｂ）は大容量記憶装置からブロック単位に読み出した情報群、（ｃ）は（ｂ）で読み出した各ブロックを再生処理した結果得られた再生処理データ群、（ｄ）は（ｃ）で得られた再生処理データを指定した再生速度で再生出力する連続した再生データである。
【００２８】
図２と図４を用いて本実施の形態における情報受信局の動作を説明する。大容量記憶装置２３０への書き込みステップ（Ｓ２２３）とは独立してかつ同時並行に、読み出しステップ（Ｓ２４１）は可能であり、大容量情報記憶装置２３０から第n書き込みデータ４１１を第n読み出しデータ４２１として、情報配信局２１０が配信する速度よりも高速で、読み出す（Ｓ２４１）。第n読み出しデータ４２１を再生処理し（Ｓ２４２）、第n再生処理データ４３１として再生出力する（S２４３）。
【００２９】
第n再生処理データ４３１を再生速度を指定し第n再生出力データ４４１として再生する（Ｓ２４３）。再生出力データが途切れず連続する様に、第n+1書き込みデータ４１２を同様に処理し第n+1再生出力データ４４２を出力する。同様に第n+2再生出力データ４４３も前に連続する様に出力することで、連続した元の大容量情報を再生する。
【００３０】
以上説明したように、本発明の第１の実施の形態における大容量情報送受信方法は、情報配信局が大容量情報を複数のブロックに分割し、分割した各ブロックにアドレスを付与し、情報受信局は個別識別信号と処理能力情報と配信を要求する大容量情報のコンテンツ情報とアドレス情報とよりなる配信要求信号を送信し、情報配信局が配信要求信号の内容にしたがってアドレス付きブロックを順次配信するので、情報配信局は一度に配信できる容量を越える大容量情報を情報受信局に配信することができる。
【００３１】
また、情報受信局におけるデータ加工の方法は、大容量記憶装置への書き込む速度および、同装置からの読み出す速度は、情報配信局が大容量情報を配信する速度以上であり、大容量記憶装置への書き込みステップと、同装置からの読み出しステップとが、各々同時並行して独立に実行可能である構成なので、情報受信局では大容量情報の配信を受けながら、同時にそれらを連続して再生することができる。
【００３２】
さらに、連続した大容量情報（たとえば音楽）を圧縮処理をしてブロック化し順次情報受信局に配信することができ、情報受信局が受信した大容量情報を、受信後に再生を行なう速度よりも高速で配信することができる。
【００３３】
なお、個別識別情報である情報受信局No.XYZ、大容量情報の種別：音楽、大容量情報の名称：AB作曲・交響曲第K番、コンテンツ記号：PQR１２３４S、アドレス情報：アドレスn、処理能力情報：データ圧縮方式Mは仮想の名称であり、これらに限定している必要はないことはいうまでもない。また、処理能力情報は、データ圧縮方式に限定する必要はなく、情報受信局が処理可能なデータ記録フォーマットでも実施できることはいうまでもない。
【００３４】
また、大容量記憶装置は、読み出し用のポートと書き込み用のポートとを両方有する半導体メモリに限定する必要はなく、単一ポートの半導体メモリを十分高速に時分割で読み出しおよび書き込みをすることでも、また読み出し用ヘッドと書き込み用ヘッドとを両方有する磁気記録装置又は光学的記録装置でも実施できることはいうまでもない。
【００３５】
（第２の実施の形態）
図５は本発明の第２の実施の形態における路側基地局と移動局の構成を示す図であり、図６は本発明の第２の実施の形態における移動体通信用基地局と移動体通信端末の構成を示す図である。図６における移動体通信用基地局は図５における路側基地局と類似の機能を有し、同様に図６における移動体端末は図５における移動局と類似の機能を有するので、以下の説明は路側基地局と移動局とで代表的に説明をする。
【００３６】
図７は本発明の第２の実施の形態の路側基地局における流れ図である。図８は本発明の第２の実施の形態における第１路側基地局と第２路側基地局と移動局の信号の流れを示す図である。図９は本発明の第２の実施の形態における第１路側基地局と移動局との間の状態遷移図である。図１０は本発明の第２の実施の形態における第２路側基地局と移動局との間の状態遷移図である。
【００３７】
次に、図５を用いて本発明の第２の実施の形態における大容量情報送受信方法について説明する。移動局５３１は道路を走行し間もなく第１路側基地局５１１の情報配信のサービス範囲である第１サービスエリア５２１に進入する。移動局５３１は第１サービスエリア５２１への進入を検出し第１路側基地局５１１に対し配信要求信号を送信する。第１路側基地局５１１は移動局５３１からの配信要求信号を受信すると対応する大容量情報の対応するアドレスのブロックから配信を開始する。移動局５３１は１つ以上のブロックを受信でき、次のブロックを受信している途中で第１サービスアリアから出て、そのブロックの受信は失敗となる。
【００３８】
移動局５３１が第２路側基地局５１２のサービスエリアである第２サービスエリア５２２に進入すると、移動局５３１は前に正常に受信できたブロックの次のブロックのアドレスを含む配信要求信号を第２路側基地局５１２に対して送信する。第２路側基地局５１２は移動局５３１からの配信要求信号を解析し、対応するアドレスが付与されたブロックから配信を開始する。この様に順次ブロック化された大容量情報を順次移動局は受信する。
【００３９】
図６において、移動体通信端末６３１が第１サービスゾーン６２１の端に近づき、第２移動体通信用基地局６１２の第２サービスゾーン６２２に入ると、移動体通信用基地局６１１および６１２が持つハンドオーバー機能により、適切なタイミングで移動体通信端末６３１と通信する移動体通信用基地局は６１１から６１２に引き継がれる。
【００４０】
次に図７において、路側基地局はサービスエリア内進入検知用信号を定期的に繰り返し発信し（Ｓ７１、Ｓ７２）、移動局がサービスエリアに進入してサービスエリア内進入検知用信号を正常受信した旨の信号を送信するのを待つ（Ｓ７２、Ｓ７３）。移動局がサービスエリアに到達し、サービスエリア内進入検知用信号を正常に受信できると移動局は配信要求でもある検知用信号正常受信信号を路側基地局に送信する。検知用信号正常受信信号（配信要求）を受信（Ｓ７３）した路側基地局は、受信した検知用信号正常受信信号（配信要求）の内容を解析し、検知用信号正常受信信号（配信要求）の指示するブロックアドレスに対応するブロックを配信する（Ｓ７５、Ｓ７６）。
【００４１】
要求されたブロックの配信を終了すると、移動局から次ブロック要求信号が送信されるのを待つ（Ｓ７８）。次ブロック要求信号を受信したら移動局に対し正常配信したブロック分を課金し（Ｓ７９）、次に配信要求された次ブロックの配信を開始する（Ｓ７５）。移動局が配信されたブロックを受信している途中で、サービスエリアからはずれてブロックの受信に失敗すると、移動局は次ブロック要求信号を送信しないので、路側基地局は次ブロック要求信号を受信できず（Ｓ７８）一定時間経過後（Ｓ７７）、サービスエリア内進入検知用信号を発信しサービスエリア内へのあらたな移動局の進入を待つ（Ｓ７１）。
【００４２】
図８と図９において、第１路側基地局５１１は、第１サービスエリアに対し、サービスエリア内進入検知用信号８１１を発信する（Ｓ９０１）。移動局５３１は第１サービスエリアの手前に位置しておりサービスエリア内進入検知用信号８１１を受信しない。サービスエリア内進入検知用信号８１１を送信後一定時間経過し、移動局５３１からの検知用信号正常受信信号８５１が届かない時は再度、サービスエリア内進入検知用信号８１１を発信する（Ｓ９０１）。まだ移動局５３１は第１サービスエリアに到達していないので、再度、サービスエリア内進入検知用信号８１１を発信する（Ｓ９０１）。この時点では移動局５３１は第１サービスエリアに到達し、サービスエリア内進入検知用信号８１１を第１サービスエリア内進入検知用信号８３１として正常に受信できる（Ｓ９０２）。
【００４３】
移動局５３１は検知用信号正常受信信号（配信要求）８５１を第１路側基地局５１１に送信する（Ｓ９０３）。検知用信号正常受信信号（配信要求）８５１を受信した第１路側基地局５１１は受信した検知用信号正常受信信号（配信要求）８５１の内容を解析し、検知用信号正常受信信号（配信要求）８５１の指示するブロックアドレスに対応する第nブロック８２１を配信する（Ｓ９０４）。
【００４４】
移動局５３１は配信されたブロックを第nブロック８４１として正常受信する（Ｓ９０５）と、次ブロック要求信号８６１を送信する（Ｓ９０６）。次ブロック要求信号８６１を受信した第１路側基地局５１１は移動局５３１に対し第nブロック分を課金する（Ｓ９０７）。第１路側基地局５１１は第n＋1ブロック８２２を配信する（Ｓ９０８）。移動局５３１は配信されたブロックを第n+1ブロック８４２として正常受信する（Ｓ９０９）と、次ブロック要求信号８６１を送信する（Ｓ９１０）。次ブロック要求信号８６１を受信した第１路側基地局５１１は移動局５３１に対し第n＋1ブロック分を課金する（Ｓ９１１）。
【００４５】
第１路側基地局５１１は第n＋２ブロック８２３を配信する（Ｓ９１２）。移動局５３１は配信されたブロックを第n＋2ブロック８４３として受信している途中で、第１サービスエリアからはずれて第n＋2ブロック８２３の受信に失敗する（Ｓ９１３）と、移動局５３１からは次ブロック要求信号８６１は送信されない。第１路側基地局５１１は次ブロック要求信号８６１を受信できず（Ｓ９１４）一定時間経過後、サービスエリア内進入検知用信号８１１を発信しサービスエリア内へのあらたな移動局の進入を待つ（Ｓ９１５）。
【００４６】
次に図８と図１０において、第２路側基地局５１２は第２サービスエリア内へのあらたな移動局の進入を待ち、第２サービスエリア内進入検知用信号８１２を定期的に発信している（Ｓ１００１）。移動局５３１が第２サービスエリア内に進入し、第２サービスエリア内進入検知用信号８１２を第２サービスエリア内進入検知用信号８３２として正常受信できる（Ｓ１００２）と、検知用信号正常受信信号（配信要求信号）８５２を送信する（Ｓ１００３）。検知用信号正常受信信号８５２は、配信要求するブロックアドレスとして第１サービスエリアで完全受信した第n＋1ブロックの次のブロックである第n＋2ブロックのアドレスを含んでいる。第２路側基地局５１２は検知用信号正常受信信号８５２を受信し、指定された第n＋2ブロックを配信する（Ｓ１００４）。
【００４７】
以降、第１路側基地局との交信と同様の手順で、第ｎ＋２ブロック受信（Ｓ１００５）、次ブロック要求信号８６１送信（Ｓ１００６）、第n＋2ブロック分課金（Ｓ１００７）、第n＋3ブロック配信（Ｓ１００８）、第n＋3ブロック受信（Ｓ１００９）、次ブロック要求信号送信（Ｓ１０１０）、第n＋3ブロック課金（Ｓ１０１１）と順次ブロック化した大容量情報を移動局５３１に配信する。移動局５３１が、第１路側基地局５１１および第２路側基地局５１２がカバーする各サービスエリア５２１、５２２を通過する間に少なくとも１つのブロックを受信できる様に、あらかじめ１つのブロックの情報量を決定する。
【００４８】
以上説明したように、本発明の第２の実施の形態における大容量情報送受信方法は、路側基地局がサービスエリア内進入検知用信号を発信するステップと、移動局が検知用信号正常受信信号を発信するステップと、移動局が配信されたブロックを正常受信したら次ブロック要求信号を送信するステップとを備え、路側基地局が発信するサービスエリア内進入検知用信号を移動局が正常受信したら、配信を受けるのに必要な情報を含んだ検知用信号正常受信信号を発信し、路側基地局からブロック情報を正常受信する度に次ブロック要求信号を送信するようにしているので、複数のサービスエリアをまたがってブロック化した大容量情報を移動局は受信することができる。また、情報受信局が移動体通信端末であり、情報配信局が移動体通信用基地局で構成することで、途切れることなくブロック化された大容量情報を移動体通信端末に配信することができる。
【産業上の利用可能性】
【００４９】
本発明は、情報をアドレスを付与した複数のブロックに分割し、情報受信局の要求するアドレスに従って配信することにより、音楽や動画等の大容量の情報を情報受信局は受信し再生する。これにより、情報受信局は情報を順次情報配信局から受信することができるという利点がある。
【符号の説明】
【００５０】
１１、２１０ 情報配信局
１２、２２０ 情報受信局
１３ 配信要求信号
２３０ 大容量記憶装置
３００ 連続した大容量情報（音楽）
５１１ 第１路側基地局
５１２ 第２路側基地局
５２１ 第１サービスエリア
５２２ 第２サービスエリア
５３１ 移動局
６１１ 第１移動体通信用基地局
６１２ 第２移動体通信用基地局
６２１ 第１サービスゾーン
６２２ 第２サービスゾーン
【図１】
2010044772.tif 000003
【図２】
2010044772.tif 000004
【図３】
2010044772.tif 000005
【図４】
2010044772.tif 000006
【図５】
2010044772.tif 000007
【図６】
2010044772.tif 000008
【図７】
2010044772.tif 000009
【図８】
2010044772.tif 000010
【図９】
2010044772.tif 000011
【図１０】
2010044772.tif 000012